(57)【要約】【課題】冷却風の流路を分岐せずにランプの内側部位と外側部位とを冷却することができ、また、ランプの外側部位の効果的な冷却を図ることができる投写型映像表示装置を提供する。【解決手段】プロジェクタ１は、発光管２１とリフレクタ２２とを含むランプ２と、ランプ２が内部に設けられた筐体１０とを備えている。リフレクタ２２は、発光管２１が発した光を反射する内側表面２２ａを有し、ランプ２は、リフレクタ２２の内側表面２２ａ及び発光管２１を含む内側部位２ａと、内側表面２２ａを含まない外側部位２ｂとを有する。筐体１０には吸気口１２ａが形成され、プロジェクタ１は、ランプ２の内側部位２ａを冷却した冷却風を、吸気口１２ａを通して筐体１０の内部に吸い込まれる気体と混合する気体混合構造と、気体混合構造により上記気体と混合された冷却風を、ランプ２の外側部位２ｂに案内する冷却風案内構造とを備える。【選択図】図８
2012073526.tif 000002
【特許請求の範囲】
【請求項１】
発光管とリフレクタとを含むランプと、
前記ランプが内部に設けられた筐体とを備え、
前記リフレクタは、前記発光管が発した光を反射する内側表面を有し、
前記ランプは、前記リフレクタが有する前記内側表面及び前記発光管を含む内側部位と、前記内側表面を含まない外側部位とを有する投写型映像表示装置において、
前記筐体には、この筐体の外部から内部に気体を吸い込むことが可能な吸気口が形成され、
前記ランプの内側部位を冷却した冷却風を、前記吸気口を通して前記筐体の内部に吸い込まれる気体と混合する気体混合構造と、
前記気体混合構造により前記気体と混合された冷却風を、前記ランプの外側部位に案内する冷却風案内構造とを備える
ことを特徴とする投写型映像表示装置。
【請求項２】
前記筐体の内部には、前記ランプの少なくとも一部を囲むランプハウジングが設けられ、
前記ランプハウジングは、前記冷却風案内構造として、前記ランプの内側部位を冷却した冷却風が吹き付けられ、かつ、前記ランプが光を出射する方向を前後方向における前方としたときに、前方から後方に延びる側壁を有している
ことを特徴とする請求項１に記載の投写型映像表示装置。
【請求項３】
前記ランプハウジングには、前記気体混合構造として、前記筐体の内部に吸い込まれた気体が通る通気口が形成されている
ことを特徴とする請求項２に記載の投写型映像表示装置。
【請求項４】
前記ランプハウジングには複数の前記通気口が形成され、
前記通気口の各々は、前記ランプハウジングを貫通し、かつ、前記ランプが光を出射する方向を前後方向における前方としたときに、直線方向である前後方向を長手方向とする貫通孔である
ことを特徴とする請求項３に記載の投写型映像表示装置。
【請求項５】
筐体の内部から外部に気体を排出する排気ファンを備え、
前記ランプが光を出射する方向を前後方向における前方としたときに、前記ランプの外側部位よりも後方の位置であって、直線方向である前後方向において前記ランプと対向する位置に前記排気ファンが設けられ、
前記排気ファンにより、前記吸気口を通して前記筐体の内部に気体が吸い込まれるとともに、前記ランプの内側部位を冷却した冷却風が前方から後方に送風される
ことを特徴とする請求項１〜４のいずれか一項に記載の投写型映像表示装置。
【請求項６】
前記ランプは、このランプに電力を供給するための配線が接続される接続端子と、この接続端子を支持する端子支持部材とをさらに含み、
前記端子支持部材は、前記リフレクタに設けられるとともに前記ランプの外側部位を構成する
ことを特徴とする請求項１〜５のいずれか一項に記載の投写型映像表示装置。
【発明の詳細な説明】
【技術分野】
【０００１】
本願発明は、発光管とリフレクタとを含むランプを備える投写型映像表示装置に関する。
【背景技術】
【０００２】
一般に、投写型映像表示装置であるプロジェクタは、映像表示用の光源としてランプを備え、ランプは、放電により光を発する発光管と、発光管が発した光を所定方向に反射するリフレクタとを含んでいる。
【０００３】
また、一般に、発光に伴って発熱するランプは空冷により冷却される構成が知られている。例えば、プロジェクタの筐体の外部から内部に気体を吸い込んで、内部に吸い込まれた気体を冷却風として、冷却対象部であるランプの内側部位と外側部位とに案内する構成が知られている（特許文献１参照）。
【０００４】
なお、ランプの内側部位は、発光管及びリフレクタの内側表面を含む部位であって、ランプの外側部位に比べて、ランプの発光（即ち、発光管の発光）に伴って温度が上昇し易い。従って、ランプの内側部位を冷却することが重要であるが、ランプの内側部位だけでなくランプの外側部位も冷却することにより、ランプを効果的に冷却することができる。
【先行技術文献】
【特許文献】
【０００５】
【特許文献１】特開２０１０−２６５２２号公報
【発明の概要】
【発明が解決しようとする課題】
【０００６】
しかしながら、上記特許文献１に記載される構成においては、ランプに案内される冷却風の流路において、ランプの内側部位を冷却する冷却風の流路と、ランプの外側部位を冷却する冷却風の流路とが分岐する構成である。このため、冷却風の流路が分岐することに起因して、ランプの内側部位を冷却する冷却風の風量が低下するという不都合がある。
【０００７】
また、ランプをより効果的に冷却するためには、ランプの外側部位を効果的に冷却することが好ましい。しかしながら、ランプの外側部位を冷却する冷却風の温度が低くなければ、ランプの外側部位を効果的に冷却することができないという問題がある。
【０００８】
本発明は、こうした実情に鑑みてなされたものであり、その目的は、冷却風の流路を分岐せずにランプの内側部位と外側部位とを冷却することができ、また、ランプの外側部位の効果的な冷却を図ることができる投写型映像表示装置を提供することにある。
【課題を解決するための手段】
【０００９】
以下、上記目的を達成するための手段及びその作用効果について記載する。
請求項１に記載の発明は、発光管とリフレクタとを含むランプと、前記ランプが内部に設けられた筐体とを備え、前記リフレクタは、前記発光管が発した光を反射する内側表面を有し、前記ランプは、前記リフレクタが有する前記内側表面及び前記発光管を含む内側部位と、前記内側表面を含まない外側部位とを有する投写型映像表示装置において、前記筐体には、この筐体の外部から内部に気体を吸い込むことが可能な吸気口が形成され、前記ランプの内側部位を冷却した冷却風を、前記吸気口を通して前記筐体の内部に吸い込まれる気体と混合する気体混合構造と、前記気体混合構造により前記気体と混合された冷却風を、前記ランプの外側部位に案内する冷却風案内構造とを備えることを特徴とする。
【００１０】
上記構成によれば、冷却風案内構造により、ランプの内側部位を冷却した冷却風が、ランプの外側部位に案内される。このため、ランプの内側部位を冷却する冷却風の流路とランプの外側部位を冷却する冷却風の流路とを分岐せずに、ランプの内側部位と外側部位とを冷却することができる。また、上記構成によれば、気体混合構造により、ランプの外側部位に案内される冷却風が、吸気口を通して筐体の内部に吸い込まれる気体と混合される。このため、ランプの内側部位を冷却した冷却風よりも温度の低い気体（即ち、例えば、筐体の外気である常温の空気）が筐体の内部に吸い込まれて、ランプの内側部位を冷却した冷却風が、この冷却風よりも温度の低い気体と混合されることにより、ランプの内側部位を冷却したことに起因して上昇した冷却風の温度を低下させることができる。従って、ランプの内側部位を冷却した冷却風が筐体の内部に吸い込まれた気体と混合されることなくランプの外側部位に案内される場合に比べて、ランプの外側部位の効果的な冷却を図ることができる。
【００１１】
請求項２に記載の発明は、請求項１に記載の投写型映像表示装置において、前記筐体の内部には、前記ランプの少なくとも一部を囲むランプハウジングが設けられ、前記ランプハウジングは、前記冷却風案内構造として、前記ランプの内側部位を冷却した冷却風が吹き付けられ、かつ、前記ランプが光を出射する方向を前後方向における前方としたときに、前方から後方に延びる側壁を有していることを特徴とする。
【００１２】
上記構成によれば、ランプの少なくとも一部を囲うランプハウジングは、冷却風案内構造として、ランプの内側部位を冷却した冷却風が吹き付けられ、かつ、ランプが光を出射する方向である前方から反対側の方向である後方に延びる側壁を有している。このため、ランプハウジングが有する側壁に吹き付けられた冷却風は、冷却風案内構造である側壁に沿って前後方向に流れる。従って、ランプの内側部位を冷却した冷却風がランプハウジングの側壁に吹き付けられて、前方から後方に冷却風が流れることにより、冷却風が側壁に吹き付けられた箇所に比べて後方に位置するランプの外側部位に、冷却風を案内することができる。
【００１３】
請求項３に記載の発明は、請求項２に記載の投写型映像表示装置において、前記ランプハウジングには、前記気体混合構造として、前記筐体の内部に吸い込まれた気体が通る通気口が形成されていることを特徴とする。
【００１４】
上記構成によれば、ランプの少なくとも一部を囲うランプハウジングには、気体混合構造として、筐体の内部に吸い込まれた気体が通る通気口が形成されている。このため、吸気口を通して筐体の内部に吸い込まれた気体は、通気口を通って、ランプハウジング内で冷却風と混合される。従って、ランプハウジングによりランプを囲みながらも、ランプの内側部位を冷却した冷却風と、吸気口を通して筐体の内部に吸い込まれた気体とを混合することができる。
【００１５】
請求項４に記載の発明は、請求項３に記載の投写型映像表示装置において、前記ランプハウジングには複数の前記通気口が形成され、前記通気口の各々は、前記ランプハウジングを貫通し、かつ、前記ランプが光を出射する方向を前後方向における前方としたときに、直線方向である前後方向を長手方向とする貫通孔であることを特徴とする。
【００１６】
上記構成によれば、ランプハウジングには複数の通気口が形成されるため、通気口を通ってランプハウジング内に流入する気体の流入量を確保しながらも、ランプハウジングの内部を遮蔽し易い。また、通気口の各々は、ランプハウジングを貫通し、ランプが光を出射する方向を含む直線方向である前後方向を長手方向とする貫通孔であるため、前方から後方に流れる気体は、ランプハウジング内に容易に流入することができる。
【００１７】
請求項５に記載の発明は、請求項１〜４のいずれか一項に記載の投写型映像表示装置において、筐体の内部から外部に気体を排出する排気ファンを備え、前記ランプが光を出射する方向を前後方向における前方としたときに、前記ランプの外側部位よりも後方の位置であって、直線方向である前後方向において前記ランプと対向する位置に前記排気ファンが設けられ、前記排気ファンにより、前記吸気口を通して前記筐体の内部に気体が吸い込まれるとともに、前記ランプの内側部位を冷却した冷却風が前方から後方に送風されることを特徴とする。
【００１８】
上記構成によれば、ランプの外側部位よりも後方の位置であって、直線方向である前後方向においてランプと対向する位置に設けられた排気ファンにより、冷却風が筐体の外部に排出される。このとき、上記排気ファンにより、吸気口を通して筐体の内部に気体が吸い込まれるとともに、ランプの内側部位を冷却した冷却風が前方から後方に送風される。このため、１つの排気ファンにより、ランプの内側部位を冷却した冷却風を、吸気口を通して筐体の内部に吸い込まれた気体と混合させながらランプの後方に送風し、かつ、ランプの外側部位を冷却した冷却風を筐体の外部に排出することができる。
【００１９】
請求項６に記載の発明は、請求項１〜５のいずれか一項に記載の投写型映像表示装置であって、前記ランプは、このランプに電力を供給するための配線が接続される接続端子と、この接続端子を支持する端子支持部材とをさらに含み、前記端子支持部材は、前記リフレクタに設けられるとともに前記ランプの外側部位を構成することを特徴とする。
【００２０】
上記構成によれば、リフレクタに設けられた端子支持部材がランプの外側部位を構成するため、冷却風により端子支持部材が冷却される。
【発明の効果】
【００２１】
本発明によれば、ランプの内側部位を冷却する冷却風の流路とランプの外側部位を冷却する冷却風の流路とを分岐せずに、ランプの内側部位と外側部位とを冷却することができ、また、ランプの外側部位の効果的な冷却を図ることができる。
【図面の簡単な説明】
【００２２】
【図１】（ａ）（ｂ）本発明の一実施形態に係る投写型映像表示装置であるプロジェクタの外観を示す斜視図。
【図２】同実施形態に係るプロジェクタが備える光学系の概略構成を示す構成図。
【図３】同実施形態に係るプロジェクタが備えるランプユニットを示す斜視図。
【図４】（ａ）（ｂ）同実施形態に係るプロジェクタが備えるランプユニットを示す側面図。
【図５】同実施形態に係るランプユニットがランプハウジングに設けられた状態を示す斜視図。
【図６】同実施形態に係るランプユニットがランプハウジングに設けられた状態を示す平面図。
【図７】同実施形態に係るランプユニットがランプハウジングに設けられていない状態を示す斜視図。
【図８】同実施形態に係るプロジェクタにおける冷却風の流れを示す模式的な断面図。
【図９】同実施形態に係るプロジェクタにおける冷却風の流れを示す断面斜視図。
【発明を実施するための形態】
【００２３】
以下、本発明を具体化した一実施形態について図面を参照しながら説明する。なお、以下の説明において上方及び下方を含む上下方向は、図中において矢印を用いて示す方向である。
【００２４】
図１（ａ）及び（ｂ）に示すように、プロジェクタ１は、スクリーンや壁等に映像を投写して表示する投写型映像表示装置であって、電子部品や光学部品等を内蔵する筐体１０を備えている。
【００２５】
本実施形態においては、筐体１０は、下側に設けられる下側ケース１１、下側ケース１１の上方を覆う上側ケース１２、正面パネル１３、背面パネル１４（図１（ｂ）参照）、フィルタカバー１５、及びランプカバー１６等により構成されている。正面パネル１３は、投射レンズ３８側に設けられるとともに、背面パネル１４は、正面パネル１３の反対側であって種々の接続端子により構成された端子部１４ａ側に設けられている。
【００２６】
図１（ｂ）に示すように、筐体１０を構成する上側ケース１２には、ランプ２の近傍に位置する複数の吸気口１２ａが設けられている。吸気口１２ａは、筐体１０の外部から内部に気体を吸い込むことが可能な開口である。同様に、正面パネル１３及びフィルタカバー１５にも、筐体１０の外部から内部に気体を吸い込むことが可能な開口である複数の吸気口１３ａ，１５ａが設けられている。
【００２７】
以上のように、筐体１０には、筐体１０の外部から内部に気体を吸い込むことが可能な吸気口１２ａ，１３ａ，１５ａが形成されている。従って、筐体１０の外気である常温の空気を吸気口１２ａ，１３ａ，１５ａを通して筐体１０の内部に吸い込むことにより、筐体１０の内部に吸い込まれた空気を用いて、プロジェクタ１が有する冷却対象部を冷却することができる。
【００２８】
図２に示すように、プロジェクタ１は、筐体１０の内部に設けられた光学部品として、映像表示用の光源であるランプ２と、白色光を赤・緑・青の三原色の光に分離するダイクロイックミラー３４ｂ，３４ｇと、三原色の光に対応した液晶ライトバルブ３６ｒ，３６ｇ，３６ｂとを備えている。
【００２９】
ランプ２は、例えば超高圧水銀ランプやメタルハライドランプ等の放電ランプにより構成されている。ランプ２は、放電により光を発する発光管２１と、発光管２１が発した光を所定方向に反射するリフレクタ２２と、リフレクタ２２の外側に設けられた端子支持部材２３と、端子支持部材２３により支持された接続端子２４とを含む。
【００３０】
発光管２１は、例えば水銀、及びハロゲンガスまたはハロゲン化物の混合物である発光体が封入された球状の発光部２１ａと、発光部２１ａの両端に接続されるとともに発光部２１ａ内へ延びる電極（不図示）の一部が埋設されている円柱状の電極埋設部２１ｂ，２１ｃとを有している。発光管２１の一端を構成する電極埋設部２１ｂは、リフレクタ２２に挿通され、発光管２１の他端を構成する電極埋設部２１ｃは、発光部２１ａとともにリフレクタ２２が有する内側表面２２ａと対向するように設けられている。発光管２１が発光することによりランプ２は白色光を発する。以下、ランプ２が光を出射する方向を前後方向における前方とする。以下の説明において、前方及び後方を含む前後方向は、図中において矢印を用いて示す方向である。
【００３１】
リフレクタ２２は、発光管２１が発した光を反射する表面である内側表面２２ａと、内側表面２２ａに対して反対側の表面である外側表面２２ｂとを有する反射鏡である。発光管２１が発した光がリフレクタ２２の内側表面２２ａにより反射されることによって、リフレクタ２２が設けられていない場合に比べて、多くの光がランプ２から液晶ライトバルブ３６ｒ，３６ｇ，３６ｂに導かれる。
【００３２】
端子支持部材２３は、リフレクタ２２の後側端部に設けられている。端子支持部材２３により支持されている接続端子２４は、発光管２１内に設けられている電極（不図示）と電気的に接続されている。従って、接続端子２４を介して、発光管２１で放電を発生させる電力がランプ２に供給可能である。
【００３３】
以上のように構成されたランプ２は、リフレクタ２２が有する内側表面２２ａ及び発光管２１を含む内側部位２ａと、内側表面２２ａを含まない外側部位２ｂとを有している。本実施形態においては、外側部位２ｂには、リフレクタ２２が有する外側表面２２ｂ及びリフレクタ２２の外側に設けられた端子支持部材２３が含まれる。
【００３４】
ランプ２が発する光は、ダイクロイックミラー３４ｂ，３４ｇ及びミラー３５により液晶ライトバルブ３６ｒ，３６ｇ，３６ｂに導かれる。このとき、ランプ２から出射された光が液晶ライトバルブ３６ｒ，３６ｇ，３６ｂに入射するまでに、一対のフライアイレンズにより構成されるインテグレータレンズ３１によって照度分布の均一化が図られるとともに、偏光変換素子３２によって偏光方向が所定方向に揃えられる。また、集光レンズ３３によって光束が収束されて液晶ライトバルブ３６ｒ，３６ｇ，３６ｂに光が入射するように構成されている。
【００３５】
ランプ２が発する白色光は、青色の波長の光を反射するダイクロイックミラー３４ｂと、緑色の波長の光を反射するダイクロイックミラー３４ｇとにより、赤色の波長の光（以下、「赤色光」）と緑色の波長の光（以下、「緑色光」）と青色の波長の光（以下、「青色光」）とに分離される。
【００３６】
白色光から分離された赤色光は液晶ライトバルブ３６ｒに入射する。また、白色光から分離された緑色光は液晶ライトバルブ３６ｇに入射する。また、白色光から分離された青色光は液晶ライトバルブ３６ｂに入射する。液晶ライトバルブ３６ｒ，３６ｇ，３６ｂは、画像を構成する画素毎に光の透過率が変更可能なライトバルブである。液晶ライトバルブ３６ｒ，３６ｇ，３６ｂの各々は、液晶パネルと、液晶パネルに対して光が入射する側に設けられた入射側光学部品と、液晶パネルから光が出射する側に設けられた出射側光学部品とにより構成されている。液晶パネルは、液晶分子を挟む透明基板を少なくとも含んでいる。また、入射側光学部品及び出射側光学部品は、偏光板を少なくとも含む。
【００３７】
液晶ライトバルブ３６ｒに入射した赤色光が液晶ライトバルブ３６ｒを透過することによって、赤色の映像が生成される。同様に、液晶ライトバルブ３６ｇに入射した緑色光が液晶ライトバルブ３６ｇを透過することによって、緑色の映像が生成され、液晶ライトバルブ３６ｂに入射した青色光が液晶ライトバルブ３６ｂを透過することによって、青色の映像が生成される。
【００３８】
さらに、プロジェクタ１は、光学部品として、三原色の映像の光を合成するクロスダイクロイックプリズム３７と、映像の光を投射するレンズ群を含む投射レンズ３８とを備えている。
【００３９】
液晶ライトバルブ３６ｒ，３６ｇ，３６ｂにおいて生成された赤・緑・青の映像の光は、クロスダイクロイックプリズム３７に入射して、クロスダイクロイックプリズム３７において合成されることにより、３色以上のフルカラーの映像が生成される。生成されたフルカラーの映像の光は、クロスダイクロイックプリズム３７から出射されて投射レンズ３８に入射する。
【００４０】
投射レンズ３８は、プロジェクタ１の外部に設けられるスクリーンや壁等の平面に向けて３色以上のフルカラーの映像の光を投射する。このようにしてプロジェクタ１は平面上に映像を表示することが可能である。以上のように、本実施形態に係るプロジェクタ１は、３板式の液晶プロジェクタである。
【００４１】
本実施形態においては、ランプ２を交換することができるように構成されている。即ち、例えばランプ２の寿命が尽きたときに、寿命が尽きて点灯不可能なランプ２を、点灯可能な新しいランプ２に交換することができる。ランプ２の交換作業は、ランプカバー１６を開けて行うことができる。
【００４２】
図３及び図４に示すように、本実施形態においては、ランプユニット４にランプ２が含まれている。従って、ランプユニット４が交換されることにより、ランプ２が交換される構成となっている。以下、図３と図４（ａ）及び（ｂ）を参照しながら、ランプユニット４の構成について説明する。
【００４３】
ランプユニット４は、ランプ２と、ランプ２を保持するランプホルダ４０を備えている。ランプホルダ４０は、ランプ２を構成するリフレクタ２２を支持する枠状の支持枠部４１と、ランプ２の上方を覆う上側壁部４２と、ランプ２の内側部位２ａを覆うとともに冷却風を通気させる冷却風通気部４３とを有している。
【００４４】
支持枠部４１にはリフレクタ２２の前側端部が固定されている。支持枠部４１の上側端部には、支持枠部４１から後方に延びる上側壁部４２が接続されている。また、支持枠部４１の前側端部には、支持枠部４１から前方に延びる筒状の冷却風通気部４３が接続されている。
【００４５】
冷却風通気部４３は、ランプ２の内側部位２ａと、ランプ２の前方に設けられる透明な透明カバー部材５１との間に空間を形成するための部位である。図４（ａ）に示すように、冷却風通気部４３には、ランプ２の内側部位２ａを冷却する冷却風をランプユニット４に吸い込むための開口である吸気口４３ａが設けられている。また、図３及び図４（ｂ）に示すように、冷却風通気部４３には、ランプ２の内側部位２ａを冷却した冷却風をランプユニット４から排出するための開口である排気口４３ｂが設けられている。
【００４６】
また、ランプユニット４は、ランプホルダ４０に対して取り付けられた透明カバー部材５１と、吸気口４３ａ及び排気口４３ｂに設けられた格子部材５２と、ランプ２に接続されたランプ側配線５３と、ランプ側配線５３に取り付けられた被給電側コネクタ５４とを備えている。
【００４７】
透明カバー部材５１は、例えば透明性を有するカバーガラスにより構成されている。透明カバー部材５１は、冷却風通気部４３の前側端部と、透明カバー部材５１及び冷却風通気部４３に嵌め合せられた嵌合部材５１ａとにより、挟まれて固定されている。ランプ２の前方に設けられた透明カバー部材５１により、ランプ２の寿命が尽きたときに破裂する発光管２１の破片の飛散が抑制される。なお、本実施形態においては、リフレクタ２２の内側表面２２ａが回転楕円面により形成され、透明カバー部材５１は、ランプ２から出射した光を平行光に変換するレンズを兼ねている。
【００４８】
格子部材５２は、多数の小さな孔が形成された金属板により構成されている。吸気口４３ａに設けられた格子部材５２により、ランプユニット４に冷却風を吸い込むことを可能としながらも、ランプ２の寿命が尽きたときに破裂する発光管２１の破片の飛散が抑制される。また、同様に、排気口４３ｂに設けられた格子部材５２により、ランプユニット４から冷却風を排出することを可能としながらも、ランプ２の寿命が尽きたときに破裂する発光管２１の破片の飛散が抑制される。
【００４９】
ランプ側配線５３に接続されている被給電側コネクタ５４は、図４（ａ）に示すように、ランプユニット４の支持枠部４１に設けられている。被給電側コネクタ５４は、ランプユニット４にねじ（不図示）を用いて固定されている。被給電側コネクタ５４は、給電側コネクタ６１（図５参照）に対して着脱自在に構成されている。給電側コネクタ６１に被給電側コネクタ５４が接続されることにより、筐体１０の内部に設けられる電源部（図示略）からランプ２に電力の供給が可能となる。
【００５０】
図５は、筐体１０内においてランプユニット４が固定された状態を示す斜視図である。また、図６は、筐体１０内において設けられたランプハウジング７にランプユニット４が収容された状態を示す平面図である。図５及び図６においては、ランプ２以外の光学部品、筐体１０内に設けられる電源部、この電源部と給電側コネクタ６１とを接続する電源側配線等の図示は省略されている。また、図５においては下側ケース１１以外の筐体１０の構成部品の図示が省略され、図６においては下側ケース１１の図示も省略されている。
【００５１】
図５に示すように、プロジェクタ１は、筐体１０の内部に設けられたランプハウジング７を備えている。ランプユニット４を収容するランプハウジング７は、ランプ２の少なくとも一部を囲む。本実施形態においては、ランプ２を含むランプユニット４は、前後方向及び上方を除いてランプハウジング７により囲まれている。
【００５２】
ランプハウジング７は、筐体１０とは異なる別体により構成されている。従って、ランプハウジング７は、筐体１０に対して着脱可能に設けられ、本実施形態においては、筐体１０を構成する下側ケース１１に取り付けられる。
【００５３】
ランプハウジング７にランプユニット４が収容された状態においては、ランプユニット４が有する被給電側コネクタ５４が給電側コネクタ６１（図５参照）に接続された状態で、ランプハウジング７に対してランプユニット４が固定される。給電側コネクタ６１は、給電側コネクタ６１を保持するコネクタホルダ６１ａを介して筐体１０を構成する下側ケース１１に対して固定されている。
【００５４】
図５に示すランプハウジング７にランプユニット４が収容された状態においてランプユニット４を上方へ引き上げることにより、ランプハウジング７からランプユニット４を取り外すことができる。図７は、ランプハウジング７からランプユニット４が取り外された状態を示す斜視図である。図７においては、図６で図示された給電側コネクタ６１とコネクタホルダ６１ａ、ランプ２以外の光学部品、筐体１０内に設けられる電源部、この電源部と給電側コネクタ６１とを接続する電源側配線等の図示は省略されている。
【００５５】
図６及び図７に示すように、ランプハウジング７は、前方から後方に延びる側壁７１と、側壁７１の前側端部に接続された前側壁部７２と、側壁７１の下側端部に接続された下側壁部７３とを有している。
【００５６】
ランプハウジング７にランプユニット４が収容された状態において、上下方向に立つ側壁７１は、排気口４３ｂを有する冷却風通気部４３と間隔を空けて設けられる。ランプユニット４と側壁７１との間に形成される空間の前方は、ランプハウジング７の前側端部に設けられる前側壁部７２により覆われる。
【００５７】
また、図７に示すように、ランプハウジング７を構成する側壁７１には、この側壁７１を貫通する貫通孔であって、かつ、直線方向である前後方向を長手方向とする複数の通気口７１ａが形成されている。
【００５８】
ランプハウジング７の後側端部には、ランプ用シールド８１（図７参照）が設けられている。ランプ用シールド８１は、ランプユニット４と側壁７１との間に形成される空間を含むランプハウジング７内の空間を覆っている。ランプ用シールド８１には上下方向に延びる隙間が複数形成されているため、ランプユニット４から後方への光の出射の遮蔽及び電磁場の遮断を図り、かつ、ランプハウジング７の内部から外部へ気体を流出させることができる。
【００５９】
また、図８に示すように、プロジェクタ１は、冷却風を送風するファンとして、ランプ２に冷却風を送風するファン９１と、筐体１０の内部から外部に気体を排出する排気ファン９２とを備えている。図８は、ファン９１及び排気ファン９２により送風される冷却風の流れを示す、プロジェクタ１の模式的な断面図である。図８においては、破線の矢印は冷却風の流れを示している。また、図８においては、ファン９１が有する回転羽根の図示は省略されている。
【００６０】
ファン９１は、例えば筐体１０の内部に吸い込まれた気体を遠心方向に送風するシロッコファンにより構成されている。ファン９１にはダクト９１ａが接続され、ファン９１から送風された冷却風は、ダクト９１ａによりランプユニット４の吸気口４３ａに導かれる。
【００６１】
例えば軸流ファンにより構成される排気ファン９２は、ランプハウジング７内の気体を、ランプ用シールド８１に形成された隙間及び排気口１２ｂを通して、筐体１０の外部に送風する。ランプハウジング７の外部に設けられた排気ファン９２は、ランプ用シールド８１と対向するとともに、さらに、上側ケース１２に形成された排気口１２ｂと対向している。排気口１２ｂは、筐体１０を構成する上側ケース１２に形成された開口である。従って、ランプハウジング７にランプユニット４が収容されている状態においては、排気ファン９２は、ランプ２の外側部位２ｂよりも後方の位置であって、直線方向である前後方向においてランプ２と対向する位置に設けられる。
【００６２】
以上のように構成されたプロジェクタ１は、ランプ２の内側部位２ａを冷却した冷却風を、吸気口１２ａを通して筐体１０の内部に吸い込まれる気体と混合する気体混合構造と、この気体混合構造により上記気体と混合された冷却風を、ランプ２の外側部位２ｂに案内する冷却風案内構造とを備えている。以下、ランプ２を冷却する冷却風の流れを説明しながら、気体混合構造及び冷却風案内構造を、図８及び図９を参照しながら説明する。
【００６３】
図９は、ランプユニット４及びランプハウジング７の断面を示す断面図であって、図８と同様に冷却風の流れを示す斜視図である。図８と同様に、図９における破線の矢印は冷却風の流れを示している。
【００６４】
図８及び図９に示すように、ファン９１（図８参照）から送風された冷却風は、吸気口４３ａを通してランプユニット４の内部に吸い込まれる。ランプユニット４の内部は、リフレクタ２２の内側表面２２ａにより形成される空間である。従って、ファン９１から送風された冷却風は、ランプユニット４の内部に流入して、ランプ２の内側部位２ａを冷却する。
【００６５】
そして、ランプ２の内側部位２ａを冷却した冷却風は、排気口４３ｂを通してランプユニット４の外部に排出される。本実施形態においては、ランプハウジング７は、冷却風案内構造として、ランプ２の内側部位２ａを冷却した冷却風が吹き付けられる側壁７１を有している。この側壁７１は上述のごとく前後方向に延びている。従って、排気口４３ｂを通してランプユニット４の内部から排出された冷却風は、排気口４３ｂと対向する側壁７１に吹き付けられて、側壁７１に沿うようにして流れる。なお、側壁７１に吹き付けられた冷却風は、前側壁部７２により後方から前方に流れないように構成されている。
【００６６】
排気口４３ｂから排出された冷却風は、排気ファン９２により後方に送風される。このとき、本実施形態においては、ランプハウジング７には、気体混合構造として、筐体１０の内部に吸い込まれた気体が通る通気口７１ａが形成されている。従って、排気口４３ｂから排出された冷却風が前方から下方に送風されるだけでなく、筐体１０の内部に吸気口１２ａを通して気体が吸い込まれるとともに、ランプハウジング７の内部に通気口７１ａを通して気体が流入する。このようにして、ランプ２の内側部位２ａを冷却した冷却風と、この冷却風よりも温度の低い筐体１０の外気とが混合される。
【００６７】
なお、図８に示すように、筐体１０を構成する上側ケース１２とランプハウジング７とは間隔を空けて設けられているが、筐体１０の内部に設けられた部品であるスピーカ９３により、吸気口１２ａを通して筐体１０の内部に吸い込まれた気体が、通気口７１ａに容易に流れるように構成されている。
【００６８】
ランプ２の内側部位２ａを冷却した冷却風であって筐体１０の外気が混合された冷却風は、ランプ２の外側部位２ｂの近傍を流れる。従って、ランプ２の内側部位２ａを冷却した冷却風であって、気体混合構造により温度が低下された冷却風は、前方から後方に流れる冷却風の流路において、ランプ２の外側部位２ｂも冷却する。
【００６９】
本実施形態によれば、以下の効果を得ることができる。
（１）プロジェクタ１は、発光管２１とリフレクタ２２とを含むランプ２と、ランプ２が内部に設けられた筐体１０とを備えている。リフレクタ２２は、発光管２１が発した光を反射する内側表面２２ａを有するとともに、ランプ２は、リフレクタ２２が有する内側表面２２ａ及び発光管２１を含む内側部位２ａと、内側表面２２ａを含まない外側部位２ｂとを有している。そして、筐体１０には吸気口１２ａが形成され、プロジェクタ１は、ランプ２の内側部位２ａを冷却した冷却風を、吸気口１２ａを通して筐体１０の内部に吸い込まれる気体と混合する気体混合構造と、気体混合構造により上記気体と混合された冷却風を、ランプ２の外側部位２ｂに案内する冷却風案内構造とを備えている。よって、冷却風案内構造により、ランプ２の内側部位２ａを冷却した冷却風が、ランプ２の外側部位２ｂに案内される。このため、ランプ２の内側部位２ａを冷却する冷却風の流路とランプ２の外側部位２ｂを冷却する冷却風の流路とを分岐せずに、ランプ２の内側部位２ａと外側部位２ｂとを冷却することができる。また、気体混合構造により、ランプ２の外側部位２ｂに案内される冷却風が、吸気口１２ａを通して筐体１０の内部に吸い込まれる気体と混合される。このため、ランプ２の内側部位２ａを冷却した冷却風よりも温度の低い気体（即ち、筐体１０の外気である常温の空気）が筐体１０の内部に吸い込まれて、ランプ２の内側部位２ａを冷却した冷却風が、常温の空気と混合されることにより、ランプ２の内側部位２ａを冷却したことに起因して上昇した冷却風の温度を低下させることができる。従って、ランプ２の内側部位２ａを冷却した冷却風が筐体１０の内部に吸い込まれた気体と混合されることなくランプ２の外側部位２ｂに案内される場合に比べて、ランプ２の外側部位２ｂの効果的な冷却を図ることができる。その結果、ランプ２の外側部位２ｂを効果的に冷却することができ、冷却風を送風するファン９１を大きくする必要がなく、ファン９１の小型化及び軽量化、及び、ファン９１を設けるためのスペースの削減等を図ることができる。
【００７０】
（２）筐体１０の内部には、ランプ２の少なくとも一部を囲むランプハウジング７が設けられ、ランプハウジング７は、冷却風案内構造として、ランプ２の内側部位２ａを冷却した冷却風が吹き付けられ、かつ、前方から後方に延びる側壁７１を有している。このため、ランプハウジング７が有する側壁７１に吹き付けられた冷却風は、冷却風案内構造である側壁７１に沿って前後方向に流れる。従って、ランプ２の内側部位２ａを冷却した冷却風がランプハウジング７の側壁７１に吹き付けられて、前方から後方に冷却風が流れることにより、冷却風が側壁７１に吹き付けられた箇所に比べて後方に位置するランプ２の外側部位２ｂに、冷却風を案内することができる。
【００７１】
（３）ランプハウジング７には、気体混合構造として、筐体１０の内部に吸い込まれた気体が通る通気口７１ａが形成されている。このため、吸気口１２ａを通して筐体１０の内部に吸い込まれた気体は、通気口７１ａを通って、ランプハウジング７内で冷却風と混合される。従って、ランプハウジング７によりランプ２を囲みながらも、ランプ２の内側部位２ａを冷却した冷却風と、吸気口１２ａを通して筐体１０の内部に吸い込まれた気体とを混合することができる。
【００７２】
（４）ランプハウジング７には複数の通気口７１ａが形成されている。このため、通気口７１ａを通ってランプハウジング７内に流入する気体の流入量を確保しながらも、ランプハウジング７の内部を遮蔽し易い。また、通気口７１ａの各々は、ランプハウジング７を貫通し、かつ、直線方向である前後方向を長手方向とする貫通孔である。このため、前方から後方に流れる気体は、ランプハウジング７内に容易に流入することができる。
【００７３】
（５）プロジェクタ１は、筐体１０の内部から外部に気体を排出する排気ファン９２を備え、ランプ２の外側部位２ｂよりも後方の位置であって、直線方向である前後方向においてランプ２と対向する位置に排気ファン９２が設けられている。そして、排気ファン９２により、吸気口１２ａを通して筐体１０の内部に気体が吸い込まれるとともに、ランプ２の内側部位２ａを冷却した冷却風が前方から後方に送風される。このため、１つの排気ファン９２により、ランプ２の内側部位２ａを冷却した冷却風を、吸気口１２ａを通して筐体１０の内部に吸い込まれた気体と混合させながらランプ２の後方に送風し、かつ、ランプ２の外側部位２ｂを冷却した冷却風を筐体１０の外部に排出することができる。
【００７４】
（６）ランプ２は、ランプ２に電力を供給するためのランプ側配線５３が接続される接続端子２４と、接続端子２４を支持する端子支持部材２３とを含み、端子支持部材２３は、リフレクタ２２に設けられるとともにランプ２の外側部位２ｂを構成する。このめ、冷却風により端子支持部材２３が冷却される。
【００７５】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００７６】
・ランプ２の内側部位２ａを冷却した冷却風が、吸気口１２ａを通して筐体１０の内部に吸い込まれた気体と混合されるのであれば、気体混合構造は上記実施形態に限定されず、例えばランプハウジング７の配置や形状等を変更してもよい。例えば、吸気口１２ａの近傍にランプハウジング７の側壁７１が位置するように設けて、スピーカ９３を省いてもよい。また、吸気口１２ａを通して筐体１０の内部に吸い込まれた気体を、通気口７１ａに導くダクト（不図示）を設けてもよい。また、例えば、通気口７１ａの形状を変更してもよい。
【００７７】
・筐体１０の内部に吸い込まれた気体と混合された冷却風がランプ２の外側部位２ｂに案内されるのであれば、冷却風案内構造は上記実施形態に限定されず、例えばランプハウジング７の形状を変更してもよい。
【００７８】
・ランプ２の外側部位２ｂには、リフレクタ２２の外側表面２２ｂ及び端子支持部材２３以外の部品が含まれてもよく、例えば、発光管２１が有する電極埋設部２１ｂがランプ２の外側部位２ｂに含まれる構成であってもよい。即ち、ランプ２の外側部位２ｂは、リフレクタ２２の内側表面２２ａを含まない部位を意味する。
・本発明は、３板式の液晶プロジェクタに限定されるものではない。例えば、電気光学装置としてＤＭＤ（Digital Micromirror Device）を備えたプロジェクタに本発明を適用することもできる。
【符号の説明】
【００７９】
１…プロジェクタ（投写型映像表示装置）、２…ランプ、２ａ…内側部位、２ｂ…外側部位、４…ランプユニット、７…ランプハウジング、１０…筐体、１１…下側ケース、１２…上側ケース、１２ａ…吸気口、１２ｂ…排気口、２１…発光管、２１ａ…発光部、２１ｂ，２１ｃ…電極埋設部、２２…リフレクタ、２２ａ…内側表面、２２ｂ…外側表面、２３…端子支持部材、２４…接続端子、３４ｂ，３４ｇ…ダイクロイックミラー、３６ｒ，３６ｇ，３６ｂ…液晶ライトバルブ、３７…クロスダイクロイックプリズム、３８…投射レンズ、４０…ランプホルダ、４１…支持枠部、４２…上側壁部、４３…冷却風通気部、４３ａ…吸気口、４３ｂ…排気口、５１…透明カバー部材、５１ａ…嵌合部材、５２…格子部材、５３…ランプ側配線、５４…被給電側コネクタ、６１…給電側コネクタ、６１ａ…コネクタホルダ、７１…側壁、７１ａ…通気口、７２…前側壁部、７３…下側壁部、８１…ランプ用シールド、９１…ファン、９１ａ…ダクト、９２…排気ファン、９３…スピーカ。
【図１】
2012073526.tif 000003
【図２】
2012073526.tif 000004
【図３】
2012073526.tif 000005
【図４】
2012073526.tif 000006
【図５】
2012073526.tif 000007
【図６】
2012073526.tif 000008
【図７】
2012073526.tif 000009
【図８】
2012073526.tif 000010
【図９】
2012073526.tif 000011